(57)【要約】【課題】色光全体における偏光の方向が揃った光を投写することが可能であり、波長選択性波長板を用いない分プロジェクターのコストを低くすることが可能であり、かつ、従来のプロジェクターよりも経年劣化が遅く、投写画像の質が早期に低下してしまうのを抑制することが可能なプロジェクターを提供する。【解決手段】第１色光の偏光の方向を揃える第１入射側偏光板５００Ｇと、第１入射側偏光板５００Ｇからの偏光を変調する第１光変調装置５１０Ｇと、第１光変調装置５１０Ｇからの偏光を用いて投写画像の第１色光成分となる光を生成する第１射出側偏光板５２０Ｇとを備えるプロジェクターであって、第１射出側偏光板５２０Ｇが射出する光について、偏光の方向を変えずに通過させる状態と偏光の方向を変えて通過させる状態とを切り替え可能な第１切替式偏光素子６００Ｇをさらに備えるプロジェクター１０００。【選択図】図２
2013130767.tif 000002
【特許請求の範囲】
【請求項１】
光を射出する照明装置と、
前記照明装置からの光を第１色光、第２色光及び第３色光に分離する光分離光学系と、
前記第１色光の偏光の方向を揃える第１入射側偏光板と、
前記第２色光の偏光の方向を揃える第２入射側偏光板と、
前記第３色光の偏光の方向を揃える第３入射側偏光板と、
前記第１入射側偏光板からの偏光を画像情報に応じて変調する第１光変調装置と、
前記第２入射側偏光板からの偏光を画像情報に応じて変調する第２光変調装置と、
前記第３入射側偏光板からの偏光を画像情報に応じて変調する第３光変調装置と、
前記第１光変調装置からの偏光を用いて投写画像の第１色光成分となる光を生成する第１射出側偏光板と、
前記第２光変調装置からの偏光を用いて投写画像の第２色光成分となる光を生成する第２射出側偏光板と、
前記第３光変調装置からの偏光を用いて投写画像の第３色光成分となる光を生成する第３射出側偏光板と、
前記第１射出側偏光板からの光と、前記第２射出側偏光板からの光と、前記第３射出側偏光板からの光とを合成するとともに進行方向を揃える光合成素子と、
前記光合成素子からの光を投写する投写光学系とを備え、
前記第１射出側偏光板が射出する光と、前記第２射出側偏光板が射出する光及び前記第３射出側偏光板が射出する光とで、異なる偏光を用いるプロジェクターであって、
前記第１射出側偏光板より後段であって前記光合成素子より前段に配置され、前記第１射出側偏光板が射出する光について、偏光の方向を変えずに通過させる状態と、偏光の方向を変えて通過させる状態とを切り替え可能な第１切替式偏光素子をさらに備え、、
前記第１切替式偏光素子は、第１λ／２板と、前記第１射出側偏光板が射出する光について、偏光の方向を変えずに通過させる場合には前記第１射出側偏光板が射出する光の光路の外に前記第１λ／２板を配置し、偏光の方向を変えて通過させる場合には前記第１射出側偏光板が射出する光の光路に前記第１λ／２板を配置する第１配置切替装置とを有することを特徴とするプロジェクター。
【請求項２】
請求項１に記載のプロジェクターにおいて、
前記第１切替式偏光素子は、前記第１色光をそのまま通過させる第１透明基板をさらに有し、
前記第１λ／２板は、前記第１透明基板の表面の一部に配置されており、
前記第１配置切替装置は、前記第１射出側偏光板からの光について、偏光の方向を変えずに通過させる場合には前記第１切替式偏光素子のうち前記第１透明基板のみからなる部分を前記第１射出側偏光板が射出する光の光路に配置し、偏光の方向を変えて通過させる場合には前記第１切替式偏光素子のうち前記第１λ／２板が配置されている部分を前記第１射出側偏光板が射出する光の光路に配置することを特徴とするプロジェクター。
【請求項３】
請求項２に記載のプロジェクターにおいて、
前記第１射出側偏光板は、前記第１透明基板上に設けられていることを特徴とするプロジェクター。
【請求項４】
請求項１〜３のいずれかに記載のプロジェクターにおいて、
前記光合成素子より後段であって前記投写レンズより前段に配置され、前記光合成素子が合成して進行方向を揃えた光について、偏光の方向を変えずに通過させる状態と、偏光の方向を変えて通過させる状態とを切り替え可能な後段切替式偏光素子をさらに備えることを特徴とするプロジェクター。
【請求項５】
請求項１〜４のいずれかに記載のプロジェクターにおいて、
前記第２射出側偏光板より後段であって前記光合成素子より前段に配置され、前記第２射出側偏光板が射出する光について、偏光の方向を変えずに通過させる状態と、偏光の方向を変えて通過させる状態とを切り替え可能な第２切替式偏光素子と、
前記第３射出側偏光板より後段であって前記光合成素子より前段に配置され、前記第３射出側偏光板が射出する光について、偏光の方向を変えずに通過させる状態と、偏光の方向を変えて通過させる状態とを切り替え可能な第３切替式偏光素子とをさらに備え、
前記第２切替式偏光素子は、第２λ／２板と、前記第２射出側偏光板が射出する光について、偏光の方向を変えずに通過させる場合には前記第２射出側偏光板が射出する光の光路の外に前記第２λ／２板を配置し、偏光の方向を変えて通過させる場合には前記第２射出側偏光板が射出する光の光路に前記第２λ／２板を配置する第２配置切替装置とを有し、
前記第３切替式偏光素子は、第３λ／２板と、前記第３射出側偏光板が射出する光について、偏光の方向を変えずに通過させる場合には前記第３射出側偏光板が射出する光の光路の外に前記第３λ／２板を配置し、偏光の方向を変えて通過させる場合には前記第３射出側偏光板が射出する光の光路に前記第３λ／２板を配置する第３配置切替装置とを有することを特徴とするプロジェクター。
【請求項６】
請求項４に記載のプロジェクターにおいて、
前記第２切替式偏光素子は、前記第２色光をそのまま通過させる第２透明基板をさらに有し、
前記第３切替式偏光素子は、前記第３色光をそのまま通過させる第３透明基板をさらに有し、
前記第２λ／２板は、前記第２透明基板の表面の一部に配置されており、
前記第３λ／２板は、前記第３透明基板の表面の一部に配置されており、
前記第２配置切替装置は、前記第２射出側偏光板からの光について、偏光の方向を変えずに通過させる場合には前記第２切替式偏光素子のうち前記第２透明基板のみからなる部分を前記第２射出側偏光板が射出する光の光路に配置し、偏光の方向を変えて通過させる場合には前記第２切替式偏光素子のうち前記第２λ／２板が配置されている部分を前記第１射出側偏光板が射出する光の光路に配置し、
前記第３配置切替装置は、前記第３射出側偏光板からの光について、偏光の方向を変えずに通過させる場合には前記第３切替式偏光素子のうち前記第３透明基板のみからなる部分を前記第３射出側偏光板が射出する光の光路に配置し、偏光の方向を変えて通過させる場合には前記第３切替式偏光素子のうち前記第３λ／２板が配置されている部分を前記第３射出側偏光板が射出する光の光路に配置することを特徴とするプロジェクター。
【請求項７】
請求項６に記載のプロジェクターにおいて、
前記第２射出側偏光板は、前記第２透明基板上に設けられ、
前記第３射出側偏光板は、前記第３透明基板上に設けられていることを特徴とするプロジェクター。
【請求項８】
光を射出する照明装置と、
前記照明装置からの光を第１色光、第２色光及び第３色光に分離する光分離光学系と、
前記第１色光の偏光の方向を揃える第１入射側偏光板と、
前記第２色光の偏光の方向を揃える第２入射側偏光板と、
前記第３色光の偏光の方向を揃える第３入射側偏光板と、
前記第１入射側偏光板からの偏光を画像情報に応じて変調する第１光変調装置と、
前記第２入射側偏光板からの偏光を画像情報に応じて変調する第２光変調装置と、
前記第３入射側偏光板からの偏光を画像情報に応じて変調する第３光変調装置と、
前記第１光変調装置からの偏光を用いて投写画像の第１色光成分となる光を生成する第１射出側偏光板と、
前記第２光変調装置からの偏光を用いて投写画像の第２色光成分となる光を生成する第２射出側偏光板と、
前記第３光変調装置からの偏光を用いて投写画像の第３色光成分となる光を生成する第３射出側偏光板と、
前記第１射出側偏光板からの光と、前記第２射出側偏光板からの光と、前記第３射出側偏光板からの光とを合成するとともに進行方向を揃える光合成素子と、
前記光合成素子からの光を投写する投写光学系とを備え、
前記第１射出側偏光板が射出する光と、前記第２射出側偏光板が射出する光及び前記第３射出側偏光板が射出する光とで、異なる偏光を用いるプロジェクターであって、
前記第２射出側偏光板より後段であって前記光合成素子より前段に配置され、前記第２射出側偏光板が射出する光について、偏光の方向を変えずに通過させる状態と、偏光の方向を変えて通過させる状態とを切り替え可能な第２切替式偏光素子と、
前記第３射出側偏光板より後段であって前記光合成素子より前段に配置され、前記第３射出側偏光板が射出する光について、偏光の方向を変えずに通過させる状態と、偏光の方向を変えて通過させる状態とを切り替え可能な第３切替式偏光素子とをさらに備え、
前記第２切替式偏光素子は、第２λ／２板と、前記第２射出側偏光板が射出する光について、偏光の方向を変えずに通過させる場合には前記第２射出側偏光板が射出する光の光路の外に前記第２λ／２板を配置し、偏光の方向を変えて通過させる場合には前記第２射出側偏光板が射出する光の光路に前記第２λ／２板を配置する第２配置切替装置とを有し、
前記第３切替式偏光素子は、第３λ／２板と、前記第３射出側偏光板が射出する光について、偏光の方向を変えずに通過させる場合には前記第３射出側偏光板が射出する光の光路の外に前記第３λ／２板を配置し、偏光の方向を変えて通過させる場合には前記第３射出側偏光板が射出する光の光路に前記第３λ／２板を配置する第３配置切替装置とを有することを特徴とするプロジェクター。
【発明の詳細な説明】
【技術分野】
【０００１】
本発明は、プロジェクターに関する。
【背景技術】
【０００２】
従来、広く知られているプロジェクターとして、３つの光変調装置を備えフルカラー画像を投写するもの（いわゆる３板式のプロジェクター）がある。すなわち、光を射出する照明装置と、照明装置からの光を第１色光、第２色光及び第３色光に分離する光分離光学系と、それぞれ入射側及び射出側に偏光板を備えそれぞれの画像情報に応じて光を変調する第１〜第３光変調装置と、第１〜第３光変調装置で変調された光を合成するとともに進行方向を揃える光合成素子と、光合成素子からの光を投写する投写光学系とを備えるプロジェクターである。
【０００３】
上記のようなプロジェクターにおいては、第１〜第３色光が光合成素子の誘電体多層膜で反射又は透過することにより第１〜第３色光が合成される都合上、光利用効率を高くするために、例えば、光合成素子を透過する第１色光を光合成素子で通過される効率が高い偏光（具体的にはＰ偏光）とし、光合成素子で反射する第２及び第３色光を光合成素子で反射される効率が高い偏光（具体的にＳ偏光）として用いることが多い。つまり、第１色光と、第２及び第３色光とで、偏光の方向が異なるプロジェクターということになる。
なお、偏光の方向の違いによる見え方の差異は、人間の目においては実質的に無視できる程度であるので、上記のような広く知られているプロジェクターのような方式であっても自然なフルカラー画像を投写することが可能である。
【０００４】
ところで、近年、周辺技術の発展やコストの低減が進んできていることにより、偏光を用いた画像投写に対する関心が高まっている。その例としては、プロジェクターと各種の偏光メガネとを用い、右目と左目とで異なる画像（視差のある画像）が見えるようにすることにより、立体感のある画像（以後、３次元画像という。）とすることや、特定の方向に対してのみ視認性が良い、つまり、指向性が高い投写画像とすること等を挙げることができる。
【０００５】
偏光を用いた画像投写を行う場合、色光全体における偏光の方向が揃った光を投写するプロジェクターとすることが好ましいが、広く知られているプロジェクターにおいては、上記したように、第１色光と、第２及び第３色光とで、偏光の方向が異なるため、色光全体における偏光の方向が揃った光を投写することができない。
【０００６】
従来、広く知られているプロジェクターを簡易に改良したものとして、偏光の方向が揃った光を投写することが可能なプロジェクターが知られている（例えば、特許文献１参照。）従来のプロジェクターは、広く知られているプロジェクターの構成に加え、投写レンズの前段に配置された波長選択性波長板をさらに備える。波長選択性波長板とは、特定波長の光（例えば、第１色光）についてのみ、偏光の方向を変更する偏光素子のことである。従来のプロジェクターによれば、波長選択性波長板を備えるため、色光全体における偏光の方向が揃った光を投写することが可能となる。
【先行技術文献】
【特許文献】
【０００７】
【特許文献１】特開２００５−４３６５６号公報
【０００８】
しかしながら、特定波長の光についてのみ偏光の方向を変える波長選択性波長板は一般的に高価であり、プロジェクターのコストが高くなってしまうという問題がある。また、本発明の発明者らの研究により、従来のプロジェクターにおいては、経年劣化が早く、投写画像の質が早期に低下してしまう場合があるという問題があることが判明した。
【０００９】
そこで、本発明は上記した問題を解決するためになされたもので、色光全体における偏光の方向が揃った光を投写することが可能であり、波長選択性波長板を用いない分プロジェクターのコストを低くすることが可能であり、かつ、従来のプロジェクターよりも経年劣化が遅く、投写画像の質が早期に低下してしまうのを抑制することが可能なプロジェクターを提供することを目的とする。
【発明の概要】
【課題を解決するための手段】
【００１０】
本発明の発明者らは、鋭意研究を重ねた結果、波長選択性波長板を用いずに色光全体における偏光の方向が揃った光を投写することが可能なプロジェクターの構成を発明した。また、本発明の発明者らは、さらなる研究により、従来のプロジェクターの経年劣化において、波長選択性波長板がプロジェクター内の光路に常に配置されており、波長選択性波長板が劣化してしまうことが原因のひとつであるという知見を得た。当該問題は、波長選択性波長板として比較的安価な有機フィルム系の波長選択性波長板を用いる場合には特に顕著となる。
本発明は以上の研究の結果完成されたものであり、以下の事項により構成される。
【００１１】
［１］本発明のプロジェクターは、光を射出する照明装置と、前記照明装置からの光を第１色光、第２色光及び第３色光に分離する光分離光学系と、前記第１色光の偏光の方向を揃える第１入射側偏光板と、前記第２色光の偏光の方向を揃える第２入射側偏光板と、前記第３色光の偏光の方向を揃える第３入射側偏光板と、前記第１入射側偏光板からの偏光を画像情報に応じて変調する第１光変調装置と、前記第２入射側偏光板からの偏光を画像情報に応じて変調する第２光変調装置と、前記第３入射側偏光板からの偏光を画像情報に応じて変調する第３光変調装置と、前記第１光変調装置からの偏光を用いて投写画像の第１色光成分となる光を生成する第１射出側偏光板と、前記第２光変調装置からの偏光を用いて投写画像の第２色光成分となる光を生成する第２射出側偏光板と、前記第３光変調装置からの偏光を用いて投写画像の第３色光成分となる光を生成する第３射出側偏光板と、前記第１射出側偏光板からの光と、前記第２射出側偏光板からの光と、前記第３射出側偏光板からの光とを合成するとともに進行方向を揃える光合成素子と、前記光合成素子からの光を投写する投写光学系とを備え、前記第１射出側偏光板が射出する光と、前記第２射出側偏光板が射出する光及び前記第３射出側偏光板が射出する光とで、異なる偏光を用いるプロジェクターであって、前記第１射出側偏光板より後段であって前記光合成素子より前段に配置され、前記第１射出側偏光板が射出する光について、偏光の方向を変えずに通過させる状態と、偏光の方向を変えて通過させる状態とを切り替え可能な第１切替式偏光素子をさらに備え、前記第１切替式偏光素子は、第１λ／２板と、前記第１射出側偏光板が射出する光について、偏光の方向を変えずに通過させる場合には前記第１射出側偏光板が射出する光の光路の外に前記第１λ／２板を配置し、偏光の方向を変えて通過させる場合には前記第１射出側偏光板が射出する光の光路に前記第１λ／２板を配置する第１配置切替装置とを有することを特徴とする。
【００１２】
本発明のプロジェクターによれば、第１射出側偏光板が射出する光について、偏光の方向を変えずに通過させる状態と、偏光の方向を変えて通過させる状態とを切り替え可能な第１切替式偏光素子を備えるため、第１射出側偏光板が射出する光について偏光の方向を変えて通過させる状態とすることで、従来のプロジェクターと同様に、色光全体における偏光の方向が揃った光を投写することが可能となる。
【００１３】
また、本発明のプロジェクターによれば、上記したような第１切替式偏光素子を用いるため、波長選択性波長板を用いない分プロジェクターのコストを低くすることが可能となる。
【００１４】
また、本発明のプロジェクターによれば、第１射出側偏光板が射出する光について、偏光の方向を変えずに通過させる状態とすることが可能な第１切替式偏光素子を備えるため、通常の投写画像を投写するときには第１切替式偏光素子にかかる負荷（例えば、光を変換、吸収するときに生じる熱による負荷）を低減することが可能となり、その結果、従来のプロジェクターよりも経年劣化が遅く、投写画像の質が早期に低下してしまうのを抑制することが可能となる。
【００１５】
上記より、本発明のプロジェクターは、色光全体における偏光の方向が揃った光を投写することが可能であり、波長選択性波長板を用いない分プロジェクターのコストを低くすることが可能であり、かつ、従来のプロジェクターよりも経年劣化が遅く、投写画像の質が早期に低下してしまうのを抑制することが可能なプロジェクターとなる。
【００１６】
また、本発明のプロジェクターによれば、第１切替式偏光素子は、第１λ／２板と第１配置切替装置とを有するため、第１λ／２板を用いて色光全体における偏光の方向が揃った光を投写することが可能となるとともに、通常の投写画像を投写するときには第１λ／２板を光路の外に配置して、第１λ／２板にかかる負荷を低減することが可能となる。
【００１７】
なお、第１配置切替装置としては、種々の既知の装置（例えば、シリンダーやモーターを用いた平行移動装置や回転移動装置）を用いることができる。後述する第２配置切替装置及び第３配置切替装置についても同様である。
【００１８】
［２］本発明のプロジェクターにおいては、前記第１切替式偏光素子は、前記第１色光をそのまま通過させる第１透明基板をさらに有し、前記第１λ／２板は、前記第１透明基板の表面の一部に配置されており、前記第１配置切替装置は、前記第１射出側偏光板からの光について、偏光の方向を変えずに通過させる場合には前記第１切替式偏光素子のうち前記第１透明基板のみからなる部分を前記第１射出側偏光板が射出する光の光路に配置し、偏光の方向を変えて通過させる場合には前記第１切替式偏光素子のうち前記第１λ／２板が配置されている部分を前記第１射出側偏光板が射出する光の光路に配置することが好ましい。
【００１９】
このような構成とすることにより、第１透明基板の介在により、第１λ／２板の配置を換えても、投写画像のピントがずれてしまうのを抑制することが可能となる。
【００２０】
また、第１切替式偏光素子が第１透明基板を有するため、第１透明基板により第１λ／２板の熱を逃がし、第１λ／２板の劣化を抑制することが可能となる。
【００２１】
［３］本発明のプロジェクターにおいては、前記第１射出側偏光板は、前記第１透明基板上に設けられていることが好ましい。
【００２２】
このような構成とすることにより、第１射出側偏光板と第１λ／２板とを一体化し、省スペースな構成とすることが可能となる。
また、第１射出側偏光板が第１透明基板上に設けられているため、第１透明基板により第１射出側偏光板の熱を逃がし、第１射出側偏光板の劣化を抑制することが可能となる。
【００２３】
［４］本発明のプロジェクターにおいては、前記光合成素子より後段であって前記投写レンズより前段に配置され、前記光合成素子が合成して進行方向を揃えた光について、偏光の方向を変えずに通過させる状態と、偏光の方向を変えて通過させる状態とを切り替え可能な後段切替式偏光素子をさらに備えることが好ましい。
【００２４】
このような構成とすることにより、外付の装置を用いずにプロジェクターから射出する偏光の方向を変えることが可能となる。なお、後段切替式偏光素子としては、例えば、第１切替式偏光素子と同様の構成を有するものを用いることができる。
【００２５】
［５］本発明のプロジェクターにおいては、前記第２射出側偏光板より後段であって前記光合成素子より前段に配置され、前記第２射出側偏光板が射出する光について、偏光の方向を変えずに通過させる状態と、偏光の方向を変えて通過させる状態とを切り替え可能な第２切替式偏光素子と、前記第３射出側偏光板より後段であって前記光合成素子より前段に配置され、前記第３射出側偏光板が射出する光について、偏光の方向を変えずに通過させる状態と、偏光の方向を変えて通過させる状態とを切り替え可能な第３切替式偏光素子とをさらに備え、前記第２切替式偏光素子は、第２λ／２板と、前記第２射出側偏光板が射出する光について、偏光の方向を変えずに通過させる場合には前記第２射出側偏光板が射出する光の光路の外に前記第２λ／２板を配置し、偏光の方向を変えて通過させる場合には前記第２射出側偏光板が射出する光の光路に前記第２λ／２板を配置する第２配置切替装置とを有し、前記第３切替式偏光素子は、第３λ／２板と、前記第３射出側偏光板が射出する光について、偏光の方向を変えずに通過させる場合には前記第３射出側偏光板が射出する光の光路の外に前記第３λ／２板を配置し、偏光の方向を変えて通過させる場合には前記第３射出側偏光板が射出する光の光路に前記第３λ／２板を配置する第３配置切替装置とを有することが好ましい。
【００２６】
このような構成とすることによっても、外付の装置を用いずにプロジェクターから射出する偏光の方向を変えることが可能となる。
【００２７】
また、このような構成とすることにより、第２切替式偏光素子は、第２λ／２板と第２配置切替装置とを有し、第３切替式偏光素子は、第３λ／２板と第３配置切替装置とを有するため、第２λ／２板及び第３λ／２板を用いて色光全体における偏光の方向が揃った光を投写することが可能となるとともに、通常の投写画像を投写するときには第２λ／２板及び第３λ／２板を光路の外に配置して、第２λ／２板及び第３λ／２板にかかる負荷を低減することが可能となる。
【００２８】
［６］本発明のプロジェクターにおいては、前記第２切替式偏光素子は、前記第２色光をそのまま通過させる第２透明基板をさらに有し、前記第３切替式偏光素子は、前記第３色光をそのまま通過させる第３透明基板をさらに有し、前記第２λ／２板は、前記第２透明基板の表面の一部に配置されており、前記第３λ／２板は、前記第３透明基板の表面の一部に配置されており、前記第２配置切替装置は、前記第２射出側偏光板からの光について、偏光の方向を変えずに通過させる場合には前記第２切替式偏光素子のうち前記第２透明基板のみからなる部分を前記第２射出側偏光板が射出する光の光路に配置し、偏光の方向を変えて通過させる場合には前記第２切替式偏光素子のうち前記第２λ／２板が配置されている部分を前記第１射出側偏光板が射出する光の光路に配置し、前記第３配置切替装置は、前記第３射出側偏光板からの光について、偏光の方向を変えずに通過させる場合には前記第３切替式偏光素子のうち前記第３透明基板のみからなる部分を前記第３射出側偏光板が射出する光の光路に配置し、偏光の方向を変えて通過させる場合には前記第３切替式偏光素子のうち前記第３λ／２板が配置されている部分を前記第３射出側偏光板が射出する光の光路に配置することが好ましい。
【００２９】
このような構成とすることにより、第２透明基板及び第３透明基板の介在により、第２λ／２板及び第３λ／２板の配置を換えても、投写画像のピントがずれてしまうのを抑制することが可能となる。
【００３０】
また、第２切替式偏光素子が第２透明基板を有し、第３切替式偏光素子が第３透明基板を有するため、第２透明基板及び第３透明基板により第２λ／２板及び第３λ／２板の熱を逃がし、第２λ／２板及び第３λ／２板の劣化を抑制することが可能となる。
【００３１】
［７］本発明のプロジェクターにおいては、前記第２射出側偏光板は、前記第２透明基板上に設けられ、前記第３射出側偏光板は、前記第３透明基板上に設けられていることが好ましい。
【００３２】
このような構成とすることにより、第２射出側偏光板と第２λ／２板及び第３射出側偏光板と第３λ／２板をそれぞれ一体化し、省スペースな構成とすることが可能となる。
また、第２射出側偏光板が第２透明基板上に設けられ、第３射出側偏光板が第３透明基板上に設けられているため、第２透明基板及び第３透明基板により第２射出側偏光板及び第３射出側偏光板の熱を逃がし、第２射出側偏光板及び第３射出側偏光板の劣化を抑制することが可能となる。
【００３３】
［８］本発明のプロジェクターにおいては、光を射出する照明装置と、前記照明装置からの光を第１色光、第２色光及び第３色光に分離する光分離光学系と、前記第１色光の偏光の方向を揃える第１入射側偏光板と、前記第２色光の偏光の方向を揃える第２入射側偏光板と、前記第３色光の偏光の方向を揃える第３入射側偏光板と、前記第１入射側偏光板からの偏光を画像情報に応じて変調する第１光変調装置と、前記第２入射側偏光板からの偏光を画像情報に応じて変調する第２光変調装置と、前記第３入射側偏光板からの偏光を画像情報に応じて変調する第３光変調装置と、前記第１光変調装置からの偏光を用いて投写画像の第１色光成分となる光を生成する第１射出側偏光板と、前記第２光変調装置からの偏光を用いて投写画像の第２色光成分となる光を生成する第２射出側偏光板と、前記第３光変調装置からの偏光を用いて投写画像の第３色光成分となる光を生成する第３射出側偏光板と、前記第１射出側偏光板からの光と、前記第２射出側偏光板からの光と、前記第３射出側偏光板からの光とを合成するとともに進行方向を揃える光合成素子と、前記光合成素子からの光を投写する投写光学系とを備え、前記第１射出側偏光板が射出する光と、前記第２射出側偏光板が射出する光及び前記第３射出側偏光板が射出する光とで、異なる偏光を用いるプロジェクターであって、前記第２射出側偏光板より後段であって前記光合成素子より前段に配置され、前記第２射出側偏光板が射出する光について、偏光の方向を変えずに通過させる状態と、偏光の方向を変えて通過させる状態とを切り替え可能な第２切替式偏光素子と、前記第３射出側偏光板より後段であって前記光合成素子より前段に配置され、前記第３射出側偏光板が射出する光について、偏光の方向を変えずに通過させる状態と、偏光の方向を変えて通過させる状態とを切り替え可能な第３切替式偏光素子とをさらに備え、前記第２切替式偏光素子は、第２λ／２板と、前記第２射出側偏光板が射出する光について、偏光の方向を変えずに通過させる場合には前記第２射出側偏光板が射出する光の光路の外に前記第２λ／２板を配置し、偏光の方向を変えて通過させる場合には前記第２射出側偏光板が射出する光の光路に前記第２λ／２板を配置する第２配置切替装置とを有し、前記第３切替式偏光素子は、第３λ／２板と、前記第３射出側偏光板が射出する光について、偏光の方向を変えずに通過させる場合には前記第３射出側偏光板が射出する光の光路の外に前記第３λ／２板を配置し、偏光の方向を変えて通過させる場合には前記第３射出側偏光板が射出する光の光路に前記第３λ／２板を配置する第３配置切替装置とを有することを特徴とする。
【００３４】
本発明のプロジェクターによれば、第２射出側偏光板が射出する光について、偏光の方向を変えずに通過させる状態と、偏光の方向を変えて通過させる状態とを切り替え可能な第２切替式偏光素子と、第３射出側偏光板が射出する光について、偏光の方向を変えずに通過させる状態と、偏光の方向を変えて通過させる状態とを切り替え可能な第３切替式偏光素子とを備えるため、第２射出側偏光板が射出する光及び第３射出側偏光板が射出する光について偏光の方向を変えて通過させる状態とすることで、従来のプロジェクターと同様に、色光全体における偏光の方向が揃った光を投写することが可能となる。
【００３５】
また、本発明のプロジェクターによれば、上記したような第２切替式偏光素子及び第３切替式偏光素子を用いるため、波長選択性波長板を用いない分プロジェクターのコストを低くすることが可能となる。
【００３６】
また、本発明のプロジェクターによれば、第２射出側偏光板が射出する光について、偏光の方向を変えずに通過させる状態とすることが可能な第２切替式偏光素子を備え、第３射出側偏光板が射出する光について、偏光の方向を変えずに通過させる状態とすることが可能な第３切替式偏光素子を備えるため、通常の投写画像を投写するときには第２切替式偏光素子及び第３切替式偏光素子にかかる負荷（例えば、光を変換、吸収するときに生じる熱による負荷）を低減することが可能となり、その結果、従来のプロジェクターよりも経年劣化が遅く、投写画像の質が早期に低下してしまうのを抑制することが可能となる。
【００３７】
上記より、上記のような構成の本発明のプロジェクターも、色光全体における偏光の方向が揃った光を投写することが可能であり、波長選択性波長板を用いない分プロジェクターのコストを低くすることが可能であり、かつ、従来のプロジェクターよりも経年劣化が遅く、投写画像の質が早期に低下してしまうのを抑制することが可能なプロジェクターとなる。
【００３８】
また、本発明のプロジェクターによれば、第２切替式偏光素子は、第２λ／２板と第２配置切替装置とを有し、第３切替式偏光素子は、第３λ／２板と第３配置切替装置とを有するため、第２λ／２板及び第３λ／２板を用いて色光全体における偏光の方向が揃った光を投写することが可能となるとともに、通常の投写画像を投写するときには第２λ／２板及び第３λ／２板を光路の外に配置して、第２λ／２板及び第３λ／２板にかかる負荷を低減することが可能となる。
【図面の簡単な説明】
【００３９】
【図１】実施形態１に係るプロジェクター１０００を説明するために示す図。
【図２】実施形態１に係るプロジェクター１０００を説明するために示す図。
【図３】実施形態１における第１切替式偏光素子６００Ｇの正面図。
【図４】実施形態２に係るプロジェクター１００２を説明するために示す図。
【図５】実施形態３に係るプロジェクター１００４を説明するために示す図。
【図６】実施形態４に係るプロジェクター１００６，１００８の使用方法を説明するために示す図。
【図７】実施形態４に係るプロジェクター１００６を説明するために示す図。
【図８】実施形態４に係るプロジェクター１００８を説明するために示す図。
【図９】実施形態５に係るプロジェクター１０１０を説明するために示す図。
【図１０】実施形態５に係るプロジェクター１０１２を説明するために示す図。
【図１１】実施形態６に係るプロジェクター１０１４を説明するために示す図。
【図１２】実施形態７に係るプロジェクター１０１６を説明するために示す図。
【図１３】実施形態７に係るプロジェクター１０１６を説明するために示す図。
【発明を実施するための形態】
【００４０】
以下、本発明のプロジェクターについて、図に示す実施の形態に基づいて説明する。
【００４１】
［実施形態１］
図１及び図２は、実施形態１に係るプロジェクター１０００を説明するために示す図である。図１及び図２はプロジェクター光学系を示す平面模式図であり、赤色光をＲ、緑色光をＧ、青色光をＢの符号で表し、各色光についてＰ偏光を（Ｐ）、Ｓ偏光を（Ｓ）の符号で表している。これは後述する図４，図５，図７〜図１２においても同様である。図１においては第１切替式偏光素子６００Ｇが第１射出側偏光板５２０Ｇが射出する光について偏光の方向を変えずに通過させるときの様子を表しており、図２においては第１切替式偏光素子６００Ｇが第１射出側偏光板５２０Ｇが射出する光について偏光の方向を変えて通過させるときの様子を表している。
図３は、実施形態１における第１切替式偏光素子６００Ｇの正面図である。図３においては、第１切替式偏光素子６００Ｇが移動可能であることを表しており、上部の図は図１の状態に対応しており、下部の図は図２の状態に対応している。符号ａｘで示す点は、第１射出側偏光板５２０Ｇが射出する光の光軸を表している。
【００４２】
なお、各図面においては、互いに直交する３つの方向をそれぞれｚ軸方向（図１における照明装置１００の光軸方向）、ｘ軸方向（図１における紙面に平行かつｚ軸に垂直な方向）及びｙ軸方向（図１における紙面に垂直かつｚ軸に垂直な方向）とする。
【００４３】
実施形態１に係るプロジェクター１０００は、図１及び図２に示すように、照明装置１００と、光分離光学系２００と、集光レンズ３００Ｒ，３００Ｇ，３００Ｂと、λ／２板４００Ｒ，４００Ｂと、第１入射側偏光板５００Ｇと、第２入射側偏光板５００Ｒと、第３入射側偏光板５００Ｂと、第１光変調装置５１０Ｇと、第２光変調装置５１０Ｒと、第３光変調装置５１０Ｂと、第１射出側偏光板５２０Ｇと、第２射出側偏光板５２０Ｒと、第３射出側偏光板５２０Ｂと、第１切替式偏光素子６００Ｇと、光合成素子７００と、投写光学系８００とを備え、第１射出側偏光板５１０Ｇが射出する光（緑色光）と、第２射出側偏光板５１０Ｒが射出する光（赤色光）及び第３射出側偏光板５１０Ｂが射出する光（青色光）とで、異なる偏光を用いるプロジェクターである。具体的には、第１射出側偏光板５２０Ｇが射出する光（緑色光）はＰ偏光からなる光であり、第２射出側偏光板５２０Ｒが射出する光（赤色光）及び第３射出側偏光板５２０Ｂが射出する光（青色光）はＳ偏光からなる光である。
【００４４】
プロジェクター１０００は、第１切替式偏光素子６００Ｇが、第１射出側偏光板５２０Ｇからの光について、偏光の方向を変えずに通過させる状態となっているときは、第１色光（緑色光）と、第２色光（赤色光）及び第３色光（青色光）とで偏光の方向が異なる光を投写する（例えば、緑色光成分についてはＰ偏光、他の色光成分についてはＳ偏光）。また、第１切替式偏光素子６００Ｇが、第１射出側偏光板５２０Ｇからの光について、偏光の方向を変えて通過させる状態となっているときは、全ての色光について偏光の方向が揃った光を投写する（例えば、全ての色光についてＳ偏光）。
【００４５】
なお、プロジェクター１０００においては、第１色光、第２色光及び第３色光の組み合わせとして、第１色光として緑色光を用い、第２色光として赤色光を用い、第３色光として青色光を用いる。本発明のプロジェクターはこれに限られるものではなく、第１色光、第２色光及び第３色光の組み合わせとして異なる色光の組み合わせを用いてもよい。
【００４６】
照明装置１００は、光源装置１０と、レンズインテグレーター光学系２０とを備える。
照明装置１００は、照明光として赤色光、緑色光及び青色光を含む光（つまり、白色光として用いることができる光）であって、偏光の方向が揃った光（例えば、Ｓ偏光）を、照明装置の光軸に沿うように射出する。なお、偏光の方向が揃っていない光を射出する照明装置をもちいることもできる。
【００４７】
光源装置１０は、光を照明光軸１００ａｘを中心軸とする集束光を被照明領域側に射出する。光源装置１０としては、高輝度発光する種々の発光管を有するものを用いることができ、例えば、メタルハライドランプ、高圧水銀ランプ、超高圧水銀ランプ等を有するものを用いることができる。また、発光ダイオード（ＬＥＤ）、半導体レーザー（ＬＤ）、有機ＥＬ（ＯＬＥＤ）等を有するものも用いることができる。
【００４８】
レンズインテグレーター光学系２０は、凹レンズ２２と、第１レンズアレイ２４と、第２レンズアレイ２５と、偏光変換素子２６と、重畳レンズ２８とを備える光均一化光学系である。なお、本発明はこれに限られるものではなく、例えば、ロッドインテグレーター光学系からなる光均一化光学系を用いてもよい。また、光均一化光学系を用いなくてもよい。
【００４９】
凹レンズ２２は、光源装置１０からの光を略平行光として射出する。なお、凹レンズそのものはレンズインテグレーター光学系の構成要素とはしないこともあるが、ここでは説明に都合が良いため、レンズインテグレーター光学系２０の構成要素としている。
第１レンズアレイ２４は、図１及び図２に示すように、凹レンズ２２からの光を複数の部分光束に分割するための複数の複数の第１小レンズを有する。第２レンズアレイ２５は、第１レンズアレイ２４における複数の第１小レンズに対応する複数の第２小レンズを有する。上記のような第１レンズアレイ２４と第２レンズアレイ２５との組み合わせの効果は、光均一化光学系として公知であるため、詳細な説明は省略する。
【００５０】
偏光変換素子２６は、第１レンズアレイ２４により分割された各部分光束を、偏光の方向の揃った略１種類の直線偏光からなる光（例えば、Ｓ偏光）として射出する偏光変換素子である。
偏光変換素子２６は、光源装置１０からの光に含まれる偏光成分のうち一方の直線偏光成分をそのまま透過し、他方の直線偏光成分を照明光軸１００ａｘに垂直な方向に反射する偏光分離層と、偏光分離層で反射された他方の直線偏光成分を照明光軸１００ａｘに平行な方向に反射する反射層と、偏光分離層を透過した一方の直線偏光成分を他方の直線偏光成分に変更する位相差板とを有している。
【００５１】
重畳レンズ２８は、偏光変換素子２６からの各部分光束を集光して第１光変調装置５１０Ｇ、第２光変調装置５１０Ｒ及び第３光変調装置５１０Ｂの画像形成領域近傍に重畳させるための光学素子である。なお、重畳レンズ２８は、複数のレンズを組み合わせた複合レンズで構成されていてもよい。
【００５２】
色分離導光光学系２００は、照明装置１００からの光を第１色光（緑色光）、第２色光（赤色光）及び第３色光（青色光）に分離する光分離光学系としての機能とともに、第１色光、第２色光及び第３色光をそれぞれ照明対象となる第１光変調装置５１０Ｇ，第２光変調装置５１０Ｒ，第３光変調装置５１０Ｂに導光する導光光学系としての機能を有する。
色分離導光光学系２００は、ダイクロイックミラー２１０，２２０、反射ミラー２３０，２４０，２５０及びリレーレンズ２６０，２７０を備える。
【００５３】
ダイクロイックミラー、反射ミラー及びリレーレンズそのものの構成については、広く知られているものであるので省略する。
ダイクロイックミラー２１０は、赤色光成分を反射して、緑色光及び青色光成分を透過させる。ダイクロイックミラー２２０は、緑色光成分を反射して、青色光成分を透過させる。
【００５４】
ダイクロイックミラー２１０で反射された赤色光は、反射ミラー２３０でさらに反射され、集光レンズ３００Ｒに到達する。ダイクロイックミラー２１０を青色光とともに透過した緑色光は、ダイクロイックミラー２２０で反射され、集光レンズ３００Ｇに到達する。ダイクロイックミラー２２０を透過した青色光は、リレーレンズ２６０、入射側の反射ミラー２４０、リレーレンズ２７０、射出側の反射ミラー２５０を経て集光レンズ３００Ｂに到達する。リレーレンズ２６０，２７０及び反射ミラー２４０，２５０は、ダイクロイックミラー２２０を透過した青色光成分を導光する機能を有する。
【００５５】
なお、青色光の光路にこのようなリレーレンズ２６０，２７０が設けられているのは、青色光の光路の長さが他の色光の光路の長さよりも長いため、光の発散等による光利用効率の低下を防止するためである。実施形態に係るプロジェクター１０００においては、青色光の光路の長さが長いのでこのような構成をとったが、例えば、赤色光の光路の長さを長くして、リレーレンズ及び反射ミラーを赤色光の光路に用いる構成も考えられる。
【００５６】
集光レンズ３００Ｒ，３００Ｇ，３００Ｂは、色分離導光光学系２００の後段に設けられ、各第１〜第３光変調装置５１０Ｇ〜５１０Ｂの画像形成領域に各色光を入射させる。
【００５７】
λ／２板４００Ｒ，４００Ｂは、第２色光（赤色光）及び第３色光（青色光）について偏光の方向を変える。なお、照明装置との兼ね合いにもよるが、上記したλ／２板の代わりに、第１色光用の集光レンズと第１入射側偏光板との間に配置される第１色光用のλ／２板を用いてもよい。
【００５８】
第１入射側偏光板５００Ｇは、集光レンズ３００Ｇと第１光変調装置５１０Ｇとの間に配置され、第１色光（緑色光）の偏光の方向を揃える。第２入射側偏光板５００Ｒは、λ／２板４００Ｒと第２光変調装置５１０Ｒとの間に配置され、第２色光（赤色光）の偏光の方向を揃える。第３入射側偏光板５００Ｂは、λ／２板４００Ｂと第３光変調装置５１０Ｂとの間に配置され、第３色光（青色光）の偏光の方向を揃える。
【００５９】
第１光変調装置５１０Ｇは、第１入射側偏光板５００Ｇからの偏光を画像情報に応じて変調する。第２光変調装置５１０Ｒは、第２入射側偏光板５００Ｒからの偏光を画像情報に応じて変調する。第３光変調装置５１０Ｂは、第３入射側偏光板５００Ｂからの偏光を画像情報に応じて変調する。
【００６０】
第１光変調装置５１０Ｇ、第２光変調装置５１０Ｒ及び第３光変調装置５１０Ｂはそれぞれ、一対の透明なガラス基板に電気光学物質である液晶を密閉封入した透過型の液晶光変調装置であり、例えば、ポリシリコンＴＦＴをスイッチング素子として、与えられた画像信号に応じて、入射側偏光板から射出された光の偏光の方向を変調する。
【００６１】
第１射出側偏光板５２０Ｇは、第１光変調装置５１０Ｇからの偏光を用いて投写画像の第１色光成分（緑色光成分）となる光を生成する。第２射出側偏光板５２０Ｒは、第２光変調装置５１０Ｒからの偏光を用いて投写画像の第２色光成分（赤色光成分）となる光を生成する。第３射出側偏光板５２０Ｂは、第３光変調装置５１０Ｂからの偏光を用いて投写画像の第３色光成分（青色光成分）となる光を生成する。
プロジェクター１０００においては、第１射出側偏光板５２０Ｇが射出する光と、第２射出側偏光板５２０Ｒが射出する光及び第３射出側偏光板５２０Ｂが射出する光とで、異なる偏光を用いる。例えば、第１射出側偏光板５２０Ｇが射出する光はＰ偏光であり、第２射出側偏光板５２０Ｒが射出する光及び第３射出側偏光板５２０Ｂが射出する光はＳ偏光である。
【００６２】
第１切替式偏光素子６００Ｇは、第１射出側偏光板５２０Ｇより後段であって光合成素子７００より前段に配置され、第１射出側偏光板５２０Ｇが射出する光について、偏光の方向を変えずに通過させる状態と、偏光の方向を変えて通過させる状態とを切り替え可能な偏光素子である。
【００６３】
第１切替式偏光素子６００Ｇは、図３に示すように、第１λ／２板６１０Ｇ、第１透明基板６２０Ｇ及び第１配置切替装置６３０Ｇ（図示せず。）を有する。第１λ／２板６１０Ｇは、第１透明基板６２０Ｇの表面の一部に配置されている。第１透明基板６２０Ｇは、第１色光をそのまま通過させる。
第１配置切替装置６３０Ｇは、第１射出側偏光板５２０Ｇが射出する光について、偏光の方向を変えずに通過させる場合には第１射出側偏光板５２０Ｇが射出する光の光路の外に第１λ／２板６１０Ｇを配置し、第１透明基板６２０Ｇのみからなる部分（図３のｂで示す部分）を第１射出側偏光板５２０Ｇが射出する光の光路に配置し（図１参照。）、偏光の方向を変えて通過させる場合には第１切替式偏光素子６００Ｇのうち第１λ／２板６１０Ｇが配置されている部分（図３のａで示す部分）を第１射出側偏光板５２０Ｇが射出する光の光路に配置する（図２参照）。
【００６４】
第１配置切替装置６３０Ｇとしては、種々の既知の装置（例えば、シリンダーやモーターを用いた平行移動装置や回転移動装置）を用いることができ、図示及び説明を省略する。
【００６５】
光合成素子７００は、第１射出側偏光板５２０Ｇからの光と、第２射出側偏光板５２０Ｒからの光と、第３射出側偏光板５２０Ｂからの光とを合成するとともに進行方向を揃える素子であり、クロスダイクロイックプリズムからなる。光合成素子７００は、例えば、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００６６】
光合成素子７００からの光は、投写光学系８００によって投写され、投写対象であるスクリーン上で投写画像を形成する。
【００６７】
以下、本発明に係るプロジェクター１０００の効果を説明する。
【００６８】
実施形態１に係るプロジェクター１０００によれば、第１射出側偏光板５２０Ｇが射出する光について、偏光の方向を変えずに通過させる状態と、偏光の方向を変えて通過させる状態とを切り替え可能な第１切替式偏光素子６００Ｇを備えるため、第１射出側偏光板５２０Ｇが射出する光について偏光の方向を変えて通過させる状態とすることで、従来のプロジェクターと同様に、色光全体における偏光の方向が揃った光を投写することが可能となる。
【００６９】
このように色光全体の偏光方向がそろった光を投写するプロジェクター１０００の用途としては、例えば、いわゆるアクティブ式の偏光メガネ（例えば、右目用の液晶装置と左目用の液晶装置とを備え、時分割的に偏光を通過させたり遮断したりすることが可能なメガネ。）とともに用い、右目用の画像と左目用の画像とを時分割的に投写することで、３次元画像を投写するのに用いることができる。また、特定の方向に対してのみ視認性が良い、つまり、指向性が高い投写画像を投写するのに用いることができる。さらにまた、外付型の偏光変換装置や他のプロジェクターとともに用い、アクティブ式以外の偏光メガネを用いて見ることが可能な３次元画像を投写するのに用いることができる。
【００７０】
また、実施形態１に係るプロジェクター１０００によれば、上記したような第１切替式偏光素子６００Ｇを用いるため、波長選択性波長板を用いない分プロジェクターのコストを低くすることが可能となる。
【００７１】
また、実施形態１に係るプロジェクター１０００によれば、第１射出側偏光板５２０Ｇが射出する光について、偏光の方向を変えずに通過させる状態とする場合は、光路外に第１λ／２板６１０Ｇを配置させることが可能な第１切替式偏光素子６００Ｇを備えるため、通常の投写画像を投写するときには第１切替式偏光素子６００Ｇにかかる負荷（例えば、第１λ／２板６１０が光を変換、吸収するときに生じる熱による負荷）を低減することが可能となり、その結果、従来のプロジェクターよりも経年劣化が遅く、投写画像の質が早期に低下してしまうのを抑制することが可能となる。また、プロジェクター１０００から投写される光の偏光がそろっている必要が無い場合には、光合成素子７００での光利用効率を優先させることが可能となる。
【００７２】
また、実施形態１に係るプロジェクター１０００によれば、第１切替式偏光素子６００Ｇが第１色光をそのまま通過させる第１透明基板６２０Ｇを有するため、第１透明基板６２０Ｇの介在により、第１λ／２板６１０Ｇの配置を換えても、投写画像のピントがずれてしまうのを抑制することが可能となる。
【００７３】
また、実施形態１に係るプロジェクター１０００によれば、第１透明基板６２０Ｇにより第１λ／２板６１０Ｇの熱を逃がし、第１λ／２板６１０Ｇの劣化を抑制することが可能となる。
【００７４】
［実施形態２］
図４は、実施形態２に係るプロジェクター１００２を説明するために示す図である。なお、図４は図１に対応する図であり、第１切替式偏光素子６０２Ｇは、第１射出側偏光板５２２Ｇが射出する光について、偏光の方向を変えずに通過させるときの状態を表している。
【００７５】
実施形態２に係るプロジェクター１００２は、基本的には実施形態１に係るプロジェクター１０００と同様の構成を有するが、第１射出側偏光板及び第１切替式偏光素子の構成が実施形態１に係るプロジェクター１０００とは異なる。すなわち、プロジェクター１００２においては、図４に示すように、第１射出側偏光板５２２Ｇは、第１透明基板６２０Ｇ上に設けられている。実施形態２においては、第１射出側偏光板５２２Ｇは、第１透明基板６２０上の前面に渡って設けられている。
【００７６】
このように、実施形態２に係るプロジェクター１００２は、第１射出側偏光板及び第１切替式偏光素子の構成が実施形態１に係るプロジェクター１０００とは異なるが、第１射出側偏光板５２２Ｇが射出する光について、偏光の方向を変えずに通過させる状態と、偏光の方向を変えて通過させる状態とを切り替え可能な第１切替式偏光素子６０２Ｇを有するため、実施形態１に係るプロジェクター１０００と同様に、色光全体における偏光の方向が揃った光を投写することが可能であり、カラーセレクトを用いない分プロジェクターのコストを低くすることが可能であり、かつ、従来のプロジェクターよりも経年劣化が遅く、投写画像の質が早期に低下してしまうのを抑制することが可能なプロジェクターとなる。
【００７７】
また、実施形態２に係るプロジェクター１００２によれば、第１射出側偏光板５２２Ｇが第１透明基板６２０上に設けられているため、第１射出側偏光板と第１λ／２板とを一体化し、省スペースな構成とすることが可能となる。また、第１透明基板により第１射出側偏光板の熱を逃がし、第１射出側偏光板の劣化を抑制することが可能となる。
【００７８】
なお、実施形態２に係るプロジェクター１００２は、第１射出側偏光板及び第１切替式偏光素子の構成が実施形態１に係るプロジェクター１０００とは異なる以外は、実施形態１に係るプロジェクター１０００と同様の構成を有するため、実施形態１に係るプロジェクター１０００が有する効果のうち該当する効果をそのまま有する。
【００７９】
［実施形態３］
図５は、実施形態３に係るプロジェクター１００４を説明するために示す図である。
【００８０】
実施形態３に係るプロジェクター１００４は、基本的には実施形態１に係るプロジェクター１０００と同様の構成を有するが、後段切替式偏光素子９００をさらに備える点が実施形態１に係るプロジェクター１０００とは異なる。すなわち、プロジェクター１００４は、図５に示すように、光合成素子７００より後段であって投写レンズ８００より前段に配置され、光合成素子７００が合成して進行方向を揃えた光について、偏光の方向を変えずに通過させる状態と、偏光の方向を変えて通過させる状態とを切り替え可能な後段切替式偏光素子９００をさらに備える。
【００８１】
後段切替式偏光素子９００は、例えば、電気光学物質である液晶を用い、電気的に液晶の状態の変化させることで、光合成素子７００が射出する光について、偏光の方向を変えずに通過させる状態と、偏光の方向を変えて通過させる状態とを切り替え可能な液晶装置からなる。なお、後段切替式偏光素子９００としては、例えば、実施形態１における第１切替式偏光素子６００Ｇのような構成を有するもののように、液晶装置からなるもの以外のものを用いてもよい。
【００８２】
以上説明してきたプロジェクター１００４の用途としては、例えば、アクティブ式以外の偏光メガネ（例えば、右目用にＳ偏光のみを通過させるフィルターを有し、左目用にＰ偏光のみを通過させるフィルターを有する、いわゆるパッシブ式の偏光メガネ。）とともに用い、第１〜第３光変調装置５１０Ｇ〜５１０Ｂと後段切替式偏光素子９００とを同期させて、右目用の画像と左目用の画像とを異なる偏光で時分割的に投写することで、３次元画像を投写するのに用いることができる。
【００８３】
実施形態３に係るプロジェクター１００４によれば、後段切替式偏光素子９００をさらに備えるため、外付の装置を用いずにプロジェクターから射出する偏光の方向を変えることが可能となる。
【００８４】
なお、実施形態３に係るプロジェクター１００４は、後段切替式偏光素子９００をさらに備える点が実施形態１に係るプロジェクター１０００とは異なる以外は、実施形態１に係るプロジェクター１０００と同様の構成を有するため、実施形態１に係るプロジェクター１０００が有する効果のうち該当する効果をそのまま有する。
【００８５】
［実施形態４］
図６は、実施形態４に係るプロジェクター１００６，１００８の使用方法を説明するために示す図である。なお、符号ＳＣＲで表すのはスクリーンであり、符号ＧＬＳで現すのはパッシブ式の偏光メガネである。
図７は、実施形態４に係るプロジェクター１００６を説明するために示す図である。
図８は、実施形態４に係るプロジェクター１００８を説明するために示す図である。
【００８６】
実施形態４に係るプロジェクター１００６，１００８は、基本的には実施形態１に係るプロジェクター１０００と同様の構成を有するが、後段切替式偏光素子９１０をさらに備え、かつ、２台で使用する点が実施形態１に係るプロジェクター１０００とは異なる。
【００８７】
プロジェクター１００６，１００８は、図６に示すように、２台で使用することで３次元画像を投写することが可能なプロジェクター（いわゆるスタック式）である。プロジェクター１００６とプロジェクター１００８とは、いずれも後段切替式偏光素子９１０を備え、同一の構成を有するプロジェクターであるが、図７及び図８に示すように、後段切替式偏光素子９１０の状態がそれぞれ異なる。つまり、プロジェクター１００６においては、図７に示すように、光合成素子７００が合成して進行方向を揃えた光について、後段切替式偏光素子９１０が偏光の方向を変えずに通過させる状態になっており、プロジェクター１００８においては、図８に示すように、光合成素子７００が合成して進行方向を揃えた光について、後段切替式偏光素子９１０が偏光の方向を変えて通過させる状態になっている。
【００８８】
このため、プロジェクター１００６は全ての色光について一方の偏光（例えば、Ｓ偏光）からなる光を投写し、プロジェクター１００８は全ての色光について他方の偏光（例えば、Ｐ偏光）からなる光を投写することになる。
なお、実施形態４における後段切替式偏光素子９１０は、第１切替式偏光素子６００Ｇと同様の構成からなる。なお、後段切替式偏光素子９１０としては、例えば、実施形態２における後段切替式偏光素子９００のような構成を有するもののように、λ／２板を有するもの以外のものを用いてもよい。
【００８９】
以上説明してきたプロジェクター１００６，１００８の用途としては、例えば、アクティブ式以外の偏光メガネ（例えば、右目用にＳ偏光のみを通過させるフィルターを有し、左目用にＰ偏光のみを通過させるフィルターを有する偏光メガネ。）とともに用い、プロジェクター１００６で右目用の投写画像を投写し、同時にプロジェクター１００８で左目用の投写画像を投写することで、３次元画像を投写するのに用いることができる。
【００９０】
また、実施形態４に係るプロジェクター１００６，１００８によれば、後段切替式偏光素子９１０をさらに備えるため、外付の装置を用いずにプロジェクターから射出する偏光の方向を変えることが可能となる。
【００９１】
なお、実施形態４に係るプロジェクター１００６，１００８は、後段切替式偏光素子９１０をさらに備え、かつ、２台で使用する点が実施形態１に係るプロジェクター１０００とは異なる以外は、実施形態１に係るプロジェクター１０００と同様の構成を有するため、実施形態１に係るプロジェクター１０００が有する効果のうち該当する効果をそのまま有する。
【００９２】
［実施形態５］
図９は、実施形態５に係るプロジェクター１０１０を説明するために示す図である。
図１０は、実施形態５に係るプロジェクター１０１２を説明するために示す図である。
【００９３】
実施形態５に係るプロジェクター１０１０，１０１２は、基本的には実施形態４に係るプロジェクター１００６，１００８と同様の構成を有するが、後段切替式偏光素子を備えず、かつ、第２切替式偏光素子６００Ｒ及び第３切替式偏光素子６００Ｂをさらに備える点が実施形態４に係るプロジェクター１００６，１００８とは異なる。
【００９４】
プロジェクター１０１０，１０１２は、２台で使用することで３次元画像を投写することが可能なプロジェクター（いわゆるスタック式）である。プロジェクター１０１０とプロジェクター１０１２は、いずれも第１切替式偏光素子６００Ｇ、第２切替式偏光素子６００Ｒ及び第３切替式偏光素子６００Ｂを備え、同一の構成を有するプロジェクターであるが、図９及び図１０に示すように、第１切替式偏光素子６００Ｇ、第２切替式偏光素子６００Ｒ及び第３切替式偏光素子６００Ｂの状態がそれぞれ異なる。
【００９５】
まず、第２切替式偏光素子６００Ｒ及び第３切替式偏光素子６００Ｂについて説明する。
第２切替式偏光素子６００Ｒは、第２射出側偏光板５２０Ｒより後段であって光合成素子７００より前段に配置され、第２射出側偏光板５２０Ｒが射出する光について、偏光の方向を変えずに通過させる状態と、偏光の方向を変えて通過させる状態とを切り替え可能な偏光素子である。第２切替式偏光素子６００Ｒ及び第３切替式偏光素子６００Ｂは、扱う色光以外については第１切替式偏光素子６００Ｇと同様の構成を有する。
【００９６】
第２切替式偏光素子６００Ｒは、第２λ／２板６１０Ｒ（符号を図示せず。）、第２透明基板６２０Ｒ（符号を図示せず。）及び第２配置切替装置６３０Ｒ（図示せず。）を有する。第２λ／２板６１０Ｒは、第２透明基板６２０Ｒの表面の一部に配置されている。第２透明基板６２０Ｒは、第２色光をそのまま通過させる。
第２配置切替装置６３０Ｒは、第２射出側偏光板５２０Ｒが射出する光について、偏光の方向を変えずに通過させる場合には第２射出側偏光板５２０Ｒが射出する光の光路の外に第２λ／２板６１０Ｒを配置し、第２透明基板６２０Ｒのみからなる部分を第２射出側偏光板５２０Ｒが射出する光の光路に配置し、偏光の方向を変えて通過させる場合には第２切替式偏光素子６００Ｒのうち第２λ／２板６１０Ｒが配置されている部分を第２射出側偏光板５２０Ｒが射出する光の光路に配置する。
【００９７】
第２配置切替装置６３０Ｒとしては、種々の既知の装置（例えば、シリンダーやモーターを用いた平行移動装置や回転移動装置）を用いることができ、図示及び説明を省略する。後述する第３配置切替装置６３０Ｂについても同様である。
【００９８】
第３切替式偏光素子６００Ｂは、第３λ／２板６１０Ｂ（符号を図示せず。）、第３透明基板６２０Ｂ（符号を図示せず。）及び第３配置切替装置６３０Ｂ（図示せず。）を有する。第３λ／２板６１０Ｂは、第３透明基板６２０Ｂの表面の一部に配置されている。第３透明基板６２０Ｂは、第３色光をそのまま通過させる。
第３配置切替装置６３０Ｂは、第３射出側偏光板５２０Ｂが射出する光について、偏光の方向を変えずに通過させる場合には第３射出側偏光板５２０Ｂが射出する光の光路の外に第３λ／２板６１０Ｂを配置し、第３透明基板６２０Ｂのみからなる部分を第３射出側偏光板５２０Ｂが射出する光の光路に配置し、偏光の方向を変えて通過させる場合には第３切替式偏光素子６００Ｂのうち第３λ／２板６１０Ｂが配置されている部分を第３射出側偏光板５２０Ｂが射出する光の光路に配置する。
【００９９】
プロジェクター１０１０においては、図９に示すように、第１切替式偏光素子６００Ｇは第１射出側偏光板５２０Ｇが射出した光の偏光の方向を変えて通過させる状態になっており、第２切替式偏光素子６００Ｒは第２射出側偏光板５２０Ｒが射出した光の偏光の方向を変えずに通過させる状態になっており、第３切替式偏光素子６００Ｂは第３射出側偏光板５２０Ｂが射出した光の偏光の方向を変えずに通過させる状態になっている。
【０１００】
一方、プロジェクター１０１２においては、図１０に示すように、第１切替式偏光素子６００Ｇは第１射出側偏光板５２０Ｇが射出した光の偏光の方向を変えずに通過させる状態になっており、第２切替式偏光素子６００Ｒは第２射出側偏光板５２０Ｒが射出した光の偏光の方向を変えて通過させる状態になっており、第３切替式偏光素子６００Ｂは第３射出側偏光板５２０Ｂが射出した光の偏光の方向を変えて通過させる状態になっている。
【０１０１】
このため、プロジェクター１０１０は全ての色光について一方の偏光（例えば、Ｓ偏光）からなる光を投写し、プロジェクター１０１２は全ての色光について他方の偏光（例えば、Ｐ偏光）からなる光を投写することになる。
【０１０２】
このように、実施形態５に係るプロジェクター１０１０，１０１２は、後段切替式偏光素子を備えず、かつ、第２切替式偏光素子６００Ｒ及び第３切替式偏光素子６００Ｂをさらに備える点が実施形態４に係るプロジェクター１００６，１００８とは異なるが、第１射出側偏光板５２０Ｇが射出する光について、偏光の方向を変えずに通過させる状態と、偏光の方向を変えて通過させる状態とを切り替え可能な第１切替式偏光素子６００Ｇを有するため、実施形態４に係るプロジェクター１００６，１００８と同様に、色光全体における偏光の方向が揃った光を投写することが可能であり、波長選択性波長板を用いない分プロジェクターのコストを低くすることが可能であり、かつ、従来のプロジェクターよりも経年劣化が遅く、投写画像の質が早期に低下してしまうのを抑制することが可能なプロジェクターとなる。
【０１０３】
また、実施形態５に係るプロジェクター１０１０，１０１２によれば、第１切替式偏光素子６００Ｇと第２切替式偏光素子６００Ｒと第３切替式偏光素子６００Ｂとを備えるため、外付の装置を用いずにプロジェクターから射出する偏光の方向を変えることが可能となる。
【０１０４】
また、実施形態５に係るプロジェクター１０１０，１０１２によれば、第２切替式偏光素子６００Ｒは、第２λ／２板６１０Ｒと、第２配置切替装置６３０Ｒとを有し、第３切替式偏光素子６００Ｂは、第３λ／２板６１０Ｂと、第３配置切替装置６３０Ｂとを有するため、第２λ／２板６１０Ｒ及び第３λ／２板６１０Ｂを用いて色光全体における偏光の方向が揃った光を投写することが可能となるとともに、通常の投写画像を投写するときには第２λ／２板６１０Ｒ及び第３λ／２板６１０Ｂを光路の外に配置して、第２λ／２板６１０Ｒ及び第３λ／２板６１０Ｂにかかる負荷を低減することが可能となる。
【０１０５】
また、実施形態５に係るプロジェクター１０１０，１０１２によれば、第２切替式偏光素子６００Ｒは、第２色光をそのまま通過させる第２透明基板６２０Ｒを有し、第３切替式偏光素子６００Ｂは、第３色光をそのまま通過させる第３透明基板６２０Ｂを有するため、第２透明基板６２０Ｒ及び第３透明基板６２０Ｂの介在により、第２λ／２板６１０Ｒ及び第３λ／２板６１０Ｂの配置を換えても、投写画像のピントがずれてしまうのを抑制することが可能となる。
【０１０６】
また、実施形態５に係るプロジェクター１０１０，１０１２によれば、第２透明基板６２０Ｒ及び第３透明基板６２０Ｂにより第２λ／２板６１０Ｒ及び第３λ／２板６１０Ｂの熱を逃がし、第２λ／２板６１０Ｒ及び第３λ／２板６１０Ｂの劣化を抑制することが可能となる。
【０１０７】
なお、実施形態５に係るプロジェクター１０１０，１０１２は、後段切替式偏光素子を備えず、かつ、第２切替式偏光素子６００Ｒ及び第３切替式偏光素子６００Ｂをさらに備える点が実施形態４に係るプロジェクター１００６，１００８とは異なる以外は、実施形態４に係るプロジェクター１００６，１００８と同様の構成を有するため、実施形態４に係るプロジェクター１００６，１００８が有する効果のうち該当する効果をそのまま有する。
【０１０８】
［実施形態６］
図１１は、実施形態６に係るプロジェクター１０１４を説明するために示す図である。なお、図１１は図９に対応する図であり、第１切替式偏光素子６０２Ｇは、第１射出側偏光板５２２Ｇが射出する光について、偏光の方向を変えて通過させ、かつ、第２切替式偏光素子６０２Ｒ及び第３切替式偏光素子６０２Ｂは、第２射出側偏光板５２２Ｒ及び第３射出側偏光板５２２Ｂが射出する光について、偏光の方向を変えずに通過させるときの状態を表している。
【０１０９】
実施形態６に係るプロジェクター１０１４は、基本的には実施形態５に係るプロジェクター１０１０，１０１２と同様の構成を有するが、各射出側偏光板及び各切替式偏光素子の構成が実施形態５に係るプロジェクター１０１０，１０１２とは異なる。すなわち、プロジェクター１０１４においては、図１１に示すように、各射出側偏光板（５２２Ｇ，５２２Ｒ，５２２Ｂ）は、各透明基板（符号を図示せず。）上に設けられている。実施形態６においては、各射出側偏光板は、各透明基板上の前面に渡って設けられている。
【０１１０】
実施形態６に係るプロジェクター１０１４によれば、第２射出側偏光板５２２Ｒは、第２透明基板上に設けられ、第３射出側偏光板５２２Ｂは、第３透明基板上に設けられているため、第２射出側偏光板５２２Ｒと第２λ／２板６１０Ｒ及び第３射出側偏光板５２２Ｂと第３λ／２板６１０Ｂをそれぞれ一体化し、省スペースな構成とすることが可能となる。
【０１１１】
また、実施形態６に係るプロジェクター１０１４によれば、第２透明基板及び第３透明基板により第２射出側偏光板５２２Ｒ及び第３射出側偏光板５２２Ｂの熱を逃がし、第２射出側偏光板５２２Ｒ及び第３射出側偏光板５２２Ｂの劣化を抑制することが可能となる。
【０１１２】
なお、実施形態６に係るプロジェクター１０１４は、各射出側偏光板及び各切替式偏光素子の構成が実施形態５に係るプロジェクター１０１０，１０１２とは異なる以外は、実施形態５に係るプロジェクター１０１０，１０１２と同様の構成を有するため、実施形態５に係るプロジェクター１０１０，１０１２が有する効果のうち該当する効果をそのまま有する。
【０１１３】
［実施形態７］
図１２は、実施形態７に係るプロジェクター１０１６を説明するために示す図である。
図１３は、実施形態７に係るプロジェクター１０１６を説明するために示す図である。
【０１１４】
実施形態７に係るプロジェクター１０１６は、実施形態１に係るプロジェクター１０００と比較して、第１切替式偏光素子６００Ｇを備えず、かつ、第２切替式偏光素子６００Ｒ及び第３切替式偏光素子６００Ｂとを備えるプロジェクターであるという点が異なる。プロジェクター１０１６においては、第１切替式偏光素子６００Ｇを備えず、第２切替式偏光素子６００Ｒ及び第３切替式偏光素子６００Ｂを備える以外の構成要素は実施形態１に係るプロジェクター１０００と同様であるため、第２切替式偏光素子６００Ｒ及び第３切替式偏光素子６００Ｂ以外の構成については記載を省略する。
【０１１５】
第２切替式偏光素子６００Ｒは、第２射出側偏光板５２０Ｒより後段であって光合成素子７００より前段に配置され、第２射出側偏光板５２０Ｒが射出する光について、偏光の方向を変えずに通過させる状態と、偏光の方向を変えて通過させる状態とを切り替え可能な偏光素子である。第２切替式偏光素子６００Ｒとしては、実施形態５に記載した第２切替式偏光素子６００Ｒと同様の構成の偏光素子を用いることができる。
【０１１６】
第３切替式偏光素子６００Ｂは、第３射出側偏光板５２０Ｂより後段であって光合成素子７００より前段に配置され、第３射出側偏光板５２０Ｂが射出する光について、偏光の方向を変えずに通過させる状態と、偏光の方向を変えて通過させる状態とを切り替え可能な偏光素子である。第３切替式偏光素子６００Ｂとしては、実施形態５に記載した第３切替式偏光素子６００Ｂと同様の構成の偏光素子を用いることができる。
【０１１７】
実施形態７に係るプロジェクター１０１６によれば、第２射出側偏光板５２０Ｒが射出する光について、偏光の方向を変えずに通過させる状態と、偏光の方向を変えて通過させる状態とを切り替え可能な第２切替式偏光素子６００Ｒと、第３射出側偏光板５２０Ｂが射出する光について、偏光の方向を変えずに通過させる状態と、偏光の方向を変えて通過させる状態とを切り替え可能な第３切替式偏光素子６００Ｂとを備えるため、第２射出側偏光板５２０Ｒが射出する光及び第３射出側偏光板５２０Ｂが射出する光について偏光の方向を変えて通過させる状態とすることで、従来のプロジェクターと同様に、色光全体における偏光の方向が揃った光を投写することが可能となる。
【０１１８】
また、実施形態７に係るプロジェクター１０１６によれば、上記したような第２切替式偏光素子６００Ｒ及び第３切替式偏光素子６００Ｂを用いるため、波長選択性波長板を用いない分プロジェクターのコストを低くすることが可能となる。
【０１１９】
また、実施形態７に係るプロジェクター１０１６によれば、第２射出側偏光板５２０Ｒが射出する光について、偏光の方向を変えずに通過させる状態とする場合は光路外に第２λ／２板６１０Ｒを配置させることが可能な第２切替式偏光素子６００Ｒを備え、第３射出側偏光板５２０Ｂが射出する光について、偏光の方向を変えずに通過させる状態とする場合は光路外に第３λ／２板６１０Ｂを配置させることが可能な第３切替式偏光素子６００Ｂを備えるため、通常の投写画像を投写するときには第２切替式偏光素子６００Ｒ及び第３切替式偏光素子６００Ｂにかかる負荷（例えば、第２λ／２板６１０Ｒ及び第３λ／２板６１０Ｂが光を変換、吸収するときに生じる熱による負荷）を低減することが可能となり、その結果、従来のプロジェクターよりも経年劣化が遅く、投写画像の質が早期に低下してしまうのを抑制することが可能となる。また、プロジェクター１０００から投写される光の偏光がそろっている必要が無い場合には、光合成素子７００での光利用効率を優先させることが可能となる。
【０１２０】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【０１２１】
（１）上記各実施形態において記載した各構成要素の寸法、個数、材質及び形状は例示であり、本発明の効果を損なわない範囲において変更することが可能である。
【０１２２】
（２）上記実施形態３では、後段切替式偏光素子９００が光合成素子７００から射出された偏光方向が揃えられた直線偏光について、偏光の方向を変えずに通過させる状態と、偏光の方向を変えて通過させる状態とを切り替える構成としたが、光合成素子７００から射出された直線偏光を左回り円偏光に変えて通過させる状態と、当該直線偏光を右回り円偏光に変えて通過させる状態とを切り替え可能な構成とすることもできる。さらに、後段切替式偏光素子９００を、光合成素子７００から射出された直線偏光を左回り円偏光に変えて通過させる状態と、当該直線偏光を右回り円偏光に変えて通過させる状態と、当該直線偏光の偏光方向を変えずに通過させる状態とを切り替え可能な構成とすることもできる。
【０１２３】
（３）上記実施形態４では、後段切替式偏光素子９１０が光合成素子７００から射出された偏光方向が揃えられた直線偏光について、偏光の方向を変えずに通過させる状態と、偏光の方向を変えて通過させる状態とを切り替える構成としたが、光合成素子７００から射出された直線偏光を左回り円偏光に変えて通過させる状態と、当該直線偏光を右回り円偏光に変えて通過させる状態とを切り替え可能な構成とすることもできる。さらに、後段切替式偏光素子９１０を、光合成素子７００から射出された直線偏光を左回り円偏光に変えて通過させる状態と、当該直線偏光を右回り円偏光に変えて通過させる状態と、当該直線偏光の偏光方向を変えずに通過させる状態とを切り替え可能な構成とすることもできる。
【０１２４】
（４）上記各実施形態において示したプロジェクターは、一方の偏光で右目用画像を投写し、他方の偏光で左目用画像を投写して、偏光眼鏡で視聴者に３次元画像を鑑賞させる構成としたが、スクリーン上に一方の偏光と他方の偏光とで異なる２種類の画像を投写し、両目用とも一方の偏光に対応する透過部を有する偏光メガネと両目用途も他方の偏光に対応する透過部を有する偏光メガネとを用いることにより、視聴者によって異なる画像を視聴させるような使用にも用いることができる。
【０１２５】
（５）本発明は、投写画像を観察する側から投写するフロント投写型プロジェクターに適用する場合にも、投写画像を観察する側とは反対の側から投写するリア投写型プロジェクターに適用する場合にも可能である。
【符号の説明】
【０１２６】
１０…光源装置、２０…レンズインテグレーター光学系、２２…凹レンズ、２４…第１レンズアレイ、２５…第２レンズアレイ、２６…偏光変換素子、２８…重畳レンズ、１００…照明装置、２００…色分離導光光学系、２１０，２２０…ダイクロイックミラー、２３０，２４０，２５０…反射ミラー、２６０，２７０…リレーレンズ、３００Ｒ，３００Ｇ，３００Ｂ…集光レンズ、４００Ｒ，４００Ｂ…λ／２板、５００Ｇ…第１入射側偏光板、５００Ｒ…第２入射側偏光板、５００Ｂ…第３入射側偏光板、５１０Ｇ…第１光変調装置、５１０Ｒ…第２光変調装置、５１０Ｂ…第３光変調装置、５２０Ｇ…第１射出側偏光板、５２０Ｒ…第２射出側偏光板、５２０Ｂ…第３射出側偏光板、６００Ｇ…第１切替式偏光素子、６００Ｒ…第２切替式偏光素子、６００Ｂ…第３切替式偏光素子、６１０Ｇ…第１λ／２板、６１０Ｒ…第２λ／板、６１０Ｂ…第３λ／２板、６２０Ｇ…第１透明基板、６２０Ｒ…第２透明基板、６２０Ｂ…第３透明基板、７００…光合成素子、８００…投写光学系、９００，９１０…後段切替式偏光素子，１０００，１００２，１００４，１００６，１００８，１０１０，１０１２，１０１４…プロジェクター、ａｘ…第１射出側偏光板から射出された光の光軸、ＧＬＳ…偏光メガネ、ＳＣＲ…スクリーン
【図１】
2013130767.tif 000003
【図２】
2013130767.tif 000004
【図３】
2013130767.tif 000005
【図４】
2013130767.tif 000006
【図５】
2013130767.tif 000007
【図６】
2013130767.tif 000008
【図７】
2013130767.tif 000009
【図８】
2013130767.tif 000010
【図９】
2013130767.tif 000011
【図１０】
2013130767.tif 000012
【図１１】
2013130767.tif 000013
【図１２】
2013130767.tif 000014
【図１３】
2013130767.tif 000015